(57)【特許請求の範囲】
【請求項１】
矩形状の防音部材１４の周縁部に側枠体１５を取り付けて防音パネル１１を形成し、この防音パネル１１をＨ型鋼からなる支柱１２の溝間に挿入して形成される防音壁において、
上記支柱１２の溝２１を構成する面と相対する、上記支柱１２の溝間に挿入される防音パネル１１の側枠体１５の面に、上記支柱１２の溝２１との間隔を保持する金具を取付け、
上記金具は弾性長尺板状体からなり、その長さ方向の一部に固定用平板部２８が形成されると共に、少なくとも一方の端部に他の平板部２８ａが形成され、上記の固定用平板部２８と他の平板部２８ａとの間が直線状又は湾曲状に形成され、かつ、上記他の平板部２８ａより先端側に延びた上記金具部分５５ａを、上記固定用平板部２８に向かう方向に湾曲状又は屈曲状に折り返されたものであり、
上記の固定用平板部２８と他の平板部２８ａとの間が直線状の場合、この直線状の部分５１ａと上記固定用平板部２８とのなす角度θ１、及びこの直線状の部分５１ａと上記他の平板部２８ａとのなす角度θ２は鈍角をなし、
上記固定用平板部２８で上記金具を上記側枠体１５に固定させると共に、上記他の平板部２８ａより先端側の上記金具部分５５ａは、上記固定用平板部２８及び上記側枠体１５に当たらない自由端となっており、
上記他の平板部２８ａで上記金具を上記支柱１２に接触させ、上記支柱１２へ上記防音パネル１１を挿入して、上記防音パネル１１を上記支柱１２に支持させること、及び上記防音パネル１１を上記支柱１２から取り外すことを可能としたことを特徴とする防音壁。
【請求項２】
矩形状の防音部材１４の周縁部に側枠体１５を取り付けて防音パネル１１を形成し、この防音パネル１１をＨ型鋼からなる支柱１２の溝間に挿入して防音壁を形成する際に、上記支柱１２の溝２１を構成する面と相対する、上記支柱１２の溝間に挿入される防音パネル１１の側枠体１５の面に取り付けられる、上記支柱１２の溝２１との間隔を保持する金具であり、
上記金具は弾性長尺板状体からなり、その長さ方向の一部に固定用平板部２８が形成されると共に、少なくとも一方の端部に他の平板部２８ａが形成され、上記の固定用平板部２８と他の平板部２８ａとの間が直線状又は湾曲状に形成され、かつ、上記他の平板部２８ａより先端側に延びた上記金具部分５５ａを、上記固定用平板部２８に向かう方向に湾曲状又は屈曲状に折り返されたものであり、
上記の固定用平板部２８と他の平板部２８ａとの間が直線状の場合、この直線状の部分５１ａと上記固定用平板部２８とのなす角度θ１、及びこの直線状の部分５１ａと上記他の平板部２８ａとのなす角度θ２は鈍角をなし、
上記固定用平板部２８で上記側枠体１５に固定させると共に、上記他の平板部２８ａより先端側の上記金具部分５５ａは、上記固定用平板部２８及び上記側枠体１５に当たらない自由端となっており、
上記他の平板部２８ａで上記支柱１２に接触させ、上記支柱１２へ上記防音パネル１１を挿入して、上記防音パネル１１を上記支柱１２に支持させること、及び上記防音パネル１１を上記支柱１２から取り外すことを可能とした防音壁用金具。
【請求項３】
矩形状の防音部材１４の周縁部に側枠体１５を取り付けて防音パネル１１を形成し、この防音パネル１１をＨ型鋼からなる支柱１２の溝間に挿入して形成される防音壁において、
上記支柱１２の溝２１を構成する面と相対する、上記支柱１２の溝間に挿入される防音パネル１１の側枠体１５の面に、上記支柱１２の溝２１との間隔を保持する金具を取付け、
上記金具は弾性長尺板状体からなり、その長さ方向の一部に固定用平板部２８が形成されると共に、一方の端部に湾曲部５３が形成されると共に、上記の固定用平板部２８と湾曲部５３との間に直線状の部分５４が形成され、
上記直線状の部分５４と上記固定用平板部２８とがなす角度θ３は鈍角をなし、
上記湾曲部５３は、上記直線状の部分５４を境にして、上記固定用平板部２８のある側と反対側の方向に、かつ、上記固定用平板部２８に向かって湾曲状に折り返され、
上記固定用平板部２８で上記金具を上記側枠体１５に固定させ、かつ、上記湾曲部５３の先端部５５ｂは、上記側枠体１５に当たらない自由端となっており、
上記湾曲部５３で上記金具を上記支柱１２に接触させ、上記支柱１２へ上記防音パネル１１を挿入して、上記防音パネル１１を上記支柱１２に支持させること、及び上記防音パネル１１を上記支柱１２から取り外すことを可能としたことを特徴とする防音壁。
【請求項４】
矩形状の防音部材１４の周縁部に側枠体１５を取り付けて防音パネル１１を形成し、この防音パネル１１をＨ型鋼からなる支柱１２の溝間に挿入して防音壁を形成する際に、上記支柱１２の溝２１を構成する面と相対する、上記支柱１２の溝間に挿入される防音パネル１１の側枠体１５の面に取付けられた、上記支柱１２の溝２１との間隔を保持する金具であり、
上記金具は弾性長尺板状体からなり、その長さ方向の一部に固定用平板部２８が形成されると共に、一方の端部に湾曲部５３が形成されると共に、上記の固定用平板部２８と湾曲部５３との間に直線状の部分５４が形成され、
上記直線状の部分５４と上記固定用平板部２８とがなす角度θ３は鈍角をなし、
上記湾曲部５３は、上記直線状の部分５４を境にして、上記固定用平板部２８のある側と反対側の方向に、かつ、上記固定用平板部２８に向かって湾曲状に折り返され、
上記固定用平板部２８で上記金具を上記側枠体１５に固定させ、かつ、上記湾曲部５３の先端部５５ｂは、上記側枠体１５に当たらない自由端となっており、
上記湾曲部５３で上記支柱１２に接触させ、上記支柱１２へ上記防音パネル１１を挿入して、上記防音パネル１１を上記支柱１２に支持させること、及び上記防音パネル１１を上記支柱１２から取り外すことを可能としたことを特徴とする防音壁用金具。
【発明の詳細な説明】
【０００１】
【発明の属する技術分野】
この発明は、道路や鉄道の路側に配備される防音壁及びこの防音壁に使用される防音壁用金具に関する。
【０００２】
【従来の技術】
従来の高速道路等の道路や新幹線等の鉄道の路側に配備される防音壁は、図７（ａ）に示すように、Ｈ型鋼からなる支柱１の溝間に防音板２を挿入して形成される。そして、防音板２とその上側に載せられる防音板２との間に図７（ｂ）に示すような金具３を取付けることにより、防音板２を支柱１に対して一定の位置に保持させている。
【０００３】
【発明が解決しようとする課題】
ところで、金具３は、図７（ｂ）に示すように、取付部４から下方に折り曲げられて下方辺５を形成し、途中で取付部４と反対方向に折り曲げられ、そして、上方に折り曲げられ、次いで、突出縁６で上記下方辺５に向かって折り曲げられることにより形成されている。このため、金具３は弾性を有するので、支柱１に防音板２及び金具３を挿入して取り付ける場合、金具３の突出縁６にかかる力は上向きとなり、金具３の形状は保持される。
しかし、防音板２を取り替えるために支柱１から防音板２を取り外す際、金具３の突出縁６にかかる力は下向きとなり、金具３は変形する、又は防音板２が取り外せないこととなる。このため、再利用は不可能となる。
そこで、この発明は、防音板の支柱からの取り外しが容易であり、かつ再利用が可能な防音壁及びこの防音壁に使用される金具を提供することを目的とする。
【０００４】
【課題を解決するための手段】
この発明は矩形状の防音部材の周縁部に側枠体を取り付けて防音パネルを形成し、この防音パネルをＨ型鋼からなる支柱の溝間に挿入して形成される防音壁において、上記支柱の溝間に挿入される防音パネルの側枠体であって、上記支柱の溝を構成する面と相対する面に、上記支柱の溝との間隔を保持する金具を取付け、上記金具を上記側枠体に固定し、その上端部を湾曲させたことを特徴とすることにより、上記の課題を解決したのである。
金具の上端部を湾曲させたので、金具に弾性を付与することができる。また、防音パネルの挿入又は取り外しの際に金具にかかる力を湾曲部の弾性で吸収し、金具が変形等することがなく、再利用が可能となる。
【０００５】
【発明の実施の形態】
以下、この発明の実施形態を図面を参照して説明する。
この発明にかかる防音壁は、図１（ａ）（ｂ）に示すように、防音パネル１１をＨ型鋼からなる支柱１２の溝間に挿入して形成される。この防音壁は、高速道路等の道路や新幹線等の鉄道の側壁１３に取り付けられ、防音用に使用される。
【０００６】
上記防音パネル１１は、図２に示すように、矩形状の防音部材１４の周縁部に側枠体１５を取り付けて形成される。このとき、防音部材１４の各辺に取り付けられる側枠体１５同士は、コーナー連結部材１６によって連結される。
【０００７】
防音パネル１１は、図３に示すように、その側枠体１５の一部がＨ型鋼からなる支柱１２の溝２１に挿入される。このとき、上記支柱１２の溝２１間に挿入される防音パネル１１の側枠体１５であって、支柱１２の溝の内側を構成する面である内側面２２及び中央面２３と相対する面、すなわち、側枠体５の側面２４及び端面２５に、支柱１２の溝２１との間隔を保持する防音壁用金具２６、２７が取付けられる。具体的には、側枠体１５の側面２４に、支柱１２の溝２１の内側面２２との間隔を保持するための防音壁用金具２６が設けられ、また、側枠体１５の端面２５に、支柱１２の溝２１の中央面２３との間隔を保持するための防音壁用金具２７が設けられる。
【０００８】
このとき、図４及び図５に示すように、防音パネル１１は、支柱１２に対して所定の位置に保持される。
【０００９】
上記防音壁用金具２６及び２７は、図６（ａ）〜（ｈ）に示すように、側枠体１５に固定させるための固定用平板部２８を有すると共に、その上端部に湾曲した構造を有する。それ以外の部分は特に限定されるものではなく、図６（ａ）（ｅ）（ｇ）に示すように、下端部が平坦な構造を有するもの、図６（ｃ）に示すように、下端部が湾曲したもののいずれであってもよい。
図６（ａ）〜（ｄ）において、２８は、金具の一部であり、側枠体１５に固定される固定用平板部、２８ａは、金具の他の一方の端部に設けられる他の平板部、５１ａは、固定用平板部２８と他の平板部２８ａとの間に形成される直線状の部分、５５ａは、上記金具のうち、他の平板部２８ａより先端側に延びた金具部分を示す。さらに、θ１は、固定用平板部２８及び直線上の部分５１ａのなす角度、θ２は、他の平板部２８ａ及び直線上の部分５１ａのなす角度を示す。
また、  図６（ｅ）〜（ｈ）において、２８は、金具の一部であり、側枠体１５に固定される固定用平板部、５３は、金具の他の一方の端部に設けられる湾曲部、５４は、固定用平板部２８と湾曲部５３との間に形成される直線状の部分、５５ｂは、上記湾曲部５３の先端部を示す。さらに、θ３は、固定用平板部２８及び直線上の部分５４のなす角度を示す。
【００１０】
上端部を湾曲させることにより、防音パネル１１の挿入、取り外しの際、この防音壁用金具２６、２７にかかる力を、この湾曲部の弾性で吸収し、防音壁用金具２６、２７の変形を抑制することが可能となる。
【００１１】
上記防音壁用金具２６及び２７は、図３に示すように、側枠体１５から外方に向かって突き出した構造を有する。すなわち、図６（ｂ）（ｄ）（ｆ）（ｈ）に示すように、平板部２８から湾曲した上端部に向けて、突き出した構造を有する。この平板部２８と上端部の湾曲部とにより弾性が発生し、図４及び図５に示すように、支柱１２の溝２１の内側面２２及び中央面２３に、側枠体１５が所定の位置で安定的に保持されると共に、防音パネル１１の挿入、取り外しが可能となる。
【００１２】
【発明の効果】
この発明によれば、防音壁用金具の上端部を湾曲させたので、弾性を付与することができる。また、防音パネルの挿入又は取り外しの際に金具にかかる力を湾曲部の弾性で吸収し、防音壁用金具が変形するのを防止でき、再利用が可能となる。
【００１３】
さらに、防音壁用金具を側枠体から外方に向かって突き出させたので、防音パネルを支柱の溝の中で所定位置で安定的に保持することが可能となる。
【図面の簡単な説明】
【図１】（ａ）この発明にかかる防音壁の例を示す正面図
（ｂ）（ａ）の側面図
【図２】図１（ａ）の防音パネルの例を示す正面図
【図３】図１（ａ）の防音壁の支柱の部分拡大断面図
【図４】図１（ａ）の防音壁の支柱の部分の正面断面図
【図５】図１（ａ）の防音壁の支柱の部分の平面断面図
【図６】（ａ）防音壁用金具の例を示す斜視図
（ｂ）（ａ）の側面図
（ｃ）防音壁用金具の例を示す斜視図
（ｄ）（ｃ）の側面図
（ｅ）防音壁用金具の例を示す斜視図
（ｆ）（ｅ）の側面図
（ｇ）防音壁用金具の例を示す斜視図
（ｈ）（ｇ）の側面図
【図７】（ａ）従来の防音壁の例を示す断面図
（ｂ）従来の防音壁用金具の例を示す断面図
【符号の説明】
１  支柱
２  防音板
３  金具
４  取付部
５  下方辺
１１  防音パネル
１２  支柱
１３  側壁
１４  防音部材
１５  側枠体
１６  コーナー連結部材
２１  溝
２２  内側面
２３  中央面
２４  側面
２５  端面
２６  防音壁用金具
２７  防音壁用金具
２８  固定用平板部
２８ａ  他の平板部
５１ａ  直線状の部分
５３  湾曲部
５４  直線状の部分
５５ａ  金具部分
５５ｂ  先端部
θ１  固定用平板部２８及び直線上の部分５１ａのなす角度
θ２  他の平板部２８ａ及び直線上の部分５１ａのなす角度
θ３  固定用平板部２８及び直線上の部分５４のなす角度
【図１】
0003660263.tif 000002
【図２】
0003660263.tif 000003
【図３】
0003660263.tif 000004
【図４】
0003660263.tif 000005
【図５】
0003660263.tif 000006
【図６】
0003660263.tif 000007
【図７】
0003660263.tif 000008